(57)【特許請求の範囲】
【請求項１】
電気−空気圧制動システムであって、少なくとも圧縮空気溜め（２）、制動圧力制御装置（３）、及び制動圧力制御装置（３）に接続される少なくとも１つの車輪モジュール（１２，１４）を持ち、
制動圧力制御装置（３）が、圧縮空気溜め（２）に接続される弁（４）、弁（４）に接続される圧縮空気導管の制動圧力（ｐ）を測定して圧力信号（Ｓ１）を出力する圧力センサ（５）、圧力信号（Ｓ１）及び制動要求信号（Ｓ６）を受けて弁（４）を制御する制御装置（６）を持ち、
圧力センサ（５）の圧力信号（Ｓ１）の最大値が圧縮空気溜め（２）の貯蔵圧力より小さく、通常の制動モードでは、目標圧力がこの圧力信号（Ｓ１）の最大値以下に制限されるものにおいて、
最大制動モードでは、弁（４）が通常の制動モードにおける制御範囲を超えて開かれる
ことを特徴とする、制動システム。
【請求項２】
制御装置（６）が、圧力センサ（５）により圧力信号（Ｓ１）に表示される最大圧力が制動圧力（ｐ）を限定することを認識する時にのみ、最大制動モードが設定されることを特徴とする、請求項１に記載の制動システム。
【請求項３】
圧力信号（Ｓ１）が最大値をとることを制御装置（６）が認識する時、制御装置（６）が、圧力センサ（５）により圧力信号（Ｓ１）に表示される最大圧力による制動圧力（ｐ）の限定を推論することを特徴とする、請求項２に記載の制動システム。
【請求項４】
制御装置（６）が、最大制動モードにおいてかつ／又は最大制動モードを認識するために、車輪の滑りから制動圧力（ｐ）を求めることを特徴とする、請求項２又は３に記載の制動システム。
【請求項５】
制御装置（６）が、車輪の求められた滑りから、設定された弁開度と設定された滑りとの比を表わす圧力勾配を求め、求められた圧力勾配に沿って弁（４）を調節することを特徴とする、請求項４に記載の制動システム。
【請求項６】
制御装置（６）が、車輪の求められた滑りから、弁（４）の調節に応じて制動圧力（ｐ）の上昇の勾配を求め、弁（４）の起動の際勾配を限定することを特徴とする、請求項４又は５に記載の制動システム。
【請求項７】
制御装置（６）が、最大制動力要求のモードにおいて、圧力限界値より上の圧力信号（Ｓ１）を評価し、圧力信号（Ｓ１）の測定値と設定された制動圧力（ｐ）との非直線的対応を行うことを特徴とする、請求項１〜６の１つに記載の制動システム。
【請求項８】
制動圧力制御装置（３）によって行われる制御に、車輪モジュール（１２，１４）において行われるロック防止制御及び／又は駆動滑り制御が重畳されることを特徴とする、請求項１〜７の１つに記載の制動システム。
【請求項９】
圧力センサ（５）が、車輪モジュール（１２，１４）に通じる少なくとも１つの圧縮空気導管の制動圧力（ｐ）を測定して圧力信号（Ｓ１）を出力し、
目標制動信号（Ｓ３）に応じて制動要求信号（６）が形成され、
圧力信号（Ｓ１）及び制動要求信号（Ｓ６）により弁（４）が制御されて、圧縮空気溜め（２）を車輪モジュール（１２，１４）へ至る圧縮空気導管に接続し、
圧力センサ（５）の圧力信号（Ｓ１）の最大値が圧縮空気溜め（２）の貯蔵圧力より小さく、
通常の制動モードでは、目標圧力がこの圧力信号（Ｓ１）の最大値以下に制限されるように、弁（４）が開かれ、
最大制動モードでは、通常の制動モードにおける制御範囲を超えて弁（４）が開かれる
制動システムの制御方法。
【請求項１０】
圧力センサ（５）により圧力信号（Ｓ１）に表示される最大圧力が制動圧力（ｐ）を限定することが更に認識される時、最大制動モードが設定されることを特徴とする、請求項９に記載の方法。
【発明の詳細な説明】
【技術分野】
【０００１】  本発明は、電気−空気圧制動システム及び電気−空気圧制動システムの制御方法に関する。
【背景技術】
【０００２】  商用車両の電気−空気圧制動システムでは、圧力媒体溜め又は圧縮空気溜めの貯蔵圧力が、弁を介して、それぞれの車輪モジュールへ通じる制動導管に与えられる。２チャネル又は多チャネル制動システムでは、例えば車軸の両方の車輪モジュールが弁により起動される。弁の起動は、一般に制動導管に設定される制動圧力を圧力センサにより求める分散制御装置を介して行われる。この場合分散制御装置、弁及び圧力センサは制動圧力変調器を形成し、この変調器が圧力制御を行い、制御された圧力を車輪モジュールへ出力し、これらの車輪モジュールにおいて一般に補足して又は重畳して、滑り制御又はロック防止制御が行われる。【０００３】  一般に制動圧力制御は、例えば中央モジュール又は中央制御装置から車両内部のデータバスを介して分散制御装置へ伝送される制動要求に応じて行われ、その際中央モジュールは、制動値発信器により出力される目標制動信号又は別のシステム例えば非常制動システムから、制動要求を求める。【０００４】  制動圧力制御は一般に例えば１０ｂａｒの限界圧力まで行われ、その際一般に例えば１２ｂａｒの一層高い貯蔵圧力が利用可能である。この一層高い貯蔵圧力は車両の制動には利用可能ではない。なぜならば、制動システムの設定目標値は圧力センサの値範囲を超過しないからである。【０００５】  運転者又は非常制動システムによる非常制動の場合、要求される制動圧力又は目標制動圧力は最大値に設定される。しかし圧力センサにより出力される圧力信号の値範囲は上方に対して限定されているので、原理的に利用可能な高い貯蔵圧力は、完全には利用不可能である。従って電気−空気圧制動システムの最大に設定可能な制動圧力は、圧力センサの圧力信号の値範囲により限定されている。
【発明の開示】
【発明が解決しようとする課題】
【０００６】  本発明の基礎になっている課題は、一方では通常作動において確実な制動圧力制御を保証し、他方では一層大きい制動力の要求がある場合急速な制動を可能にする電気−空気圧制動システム及び制動システムの制御方法を提供することである。
【課題を解決するための手段】
【０００７】  この課題は、請求項１に記載の電気−空気圧制動システム及び請求項９に記載の方法によって解決される。従属請求項は好ましい展開を記載している。【０００８】  従って本発明によれば、（運転者又は別のシステム例えば非常制動システム）により一層大きい例えば最大に可能な制動力を要求されるか否か、更に出力すべき制動圧力が圧力センサの圧力信号の最大値により限定されているか否かが検査される。【０００９】  このような状態が認識される場合、通常の圧力制御モードにおいて設定される値を越えて弁が開かれ、従って一層大きい特に最大に可能な制動圧力が出力される。【００１０】  従って圧力センサが確実な信号をもはや供給しなくても、圧力センサにより検出される限界制動圧力を超えて圧力制御を可能にする最大制動モードが設定される。このため更に別の安全問合わせを行うことができる。【００１１】  限界制動圧力以上の圧力制御は、使用される弁例えば比例弁又はクロック弁に応じて行うことができる。好ましい実施形態によれば、そのつどの制動圧力を車輪滑りから求めるか又は評価することができる。最大に可能な滑り値をできるだけ精確に得るため、特に圧力勾配を設定するか又は評価することができる。【００１２】  従って本発明による制動システム及び本発明による方法は、今まで使用された圧力センサ及びそれに合わされる圧力制御回路を維持しながら、ソフトウェアの適当な変更により実現することができる。【００１３】  添付図面により実施例について本発明を以下に説明する。
【発明を実施するための最良の形態】
【００１４】  商用車両の電気空気圧制動システム１は例えば２つのチャネルを持ち、そのうち１つの車軸例えば前車軸用のチャネルが図に示されている。圧縮空気溜め２には制動圧力制御装置としての制動圧力変調器３が接続され、この変調器３に弁４、圧力センサ５及び制御装置６が設けられ、この制御装置６が圧力センサ５の圧力信号Ｓ１を受入れ、かつバス７を介して中央制御装置８の信号Ｓ６を受入れ、信号Ｓ２を介して弁４を起動する。【００１５】  中央制御装置８は、制動ペダルに接続される制動値発信器９の目標制動信号Ｓ３を受入れ、図示したチャネルに加えて、例えば１つ又は複数の後車軸及び場合によってはトレーラのここには図示してない別のチャネルを制御する。更に中央制御装置８は、制御信号Ｓ４，Ｓ５を介して、制動圧力変調器３の出口において前車軸の車輪モジュール１２，１４の前に設けられる制動弁１０，１１を制御する。車輪モジュール１２，１４のほかに、とりわけＡＢＳ弁１６，１７及び回転数信号Ｓ８，Ｓ９を中央制御装置８へ供給する回転数センサ１８，１９が設けられ、この供給は直接に又はバス７を介して行うことができる。【００１６】  従って制動圧力変調器３は、バス７を介して信号Ｓ６により、中央制御装置８から設定目標値を受ける。【００１７】  圧縮空気溜め２には例えば１２ｂａｒの圧力が存在することができる。通常の場合制動圧力変調器３における圧力制御は、例えば１２ｂａｒの限界制動圧力以下で行われる。圧力センサ５は、弁４により使用可能にされる出力導管の１〜１０ｂａｒの圧力ｐを測定して、高い精細度を得るため１０ｂａｒに規定されている測定範囲を持つ圧力信号Ｓ１を出力し、例えば０．５Ｖ〜５Ｖの値範囲にあって測定された圧力に比例するアナログ測定信号Ｓ１を供給する。【００１８】  通常の圧力制御モードにおいて、１２ｂａｒの一層高い貯蔵圧力は車両の制動には利用不可能である。なぜならば、制動システムの制動要求信号としての設定目標値信号Ｓ６は、圧力センサ５の値範囲を超過しないからである。従ってすべての通常の圧力制御では、制動圧力変調器３における圧力制御は、圧力センサ５に基いて行われる。本発明によれば、最大制動力がタイヤと車道との間の最大摩擦によって限定されているだけでなく、圧力センサ５の値範囲によっても限定されていることがわかる。【００１９】  圧力信号又はセンサ信号Ｓ１の評価により、制動圧力変調器３の分散制御装置６又は中央制御装置８によって、運転者又は別のシステム例えば非常制動システムが最大に可能な制動力を必要としていることを認識することができる。この場合本発明によれば、圧力センサ５の値範囲が出力すべき制動圧力ｐを限定しているか否かが検査される。【００２０】  圧力センサ５の値範囲が出力すべき制動圧力ｐを限定しているか否かの本発明による検査は、例えば測定された制動圧力が例えば９．５ｂａｒより上にあることを評価することによって、簡単に行うことができる。更に場合によっては、値範囲より上の圧力信号Ｓ１を評価することができ、その際比例的でない信号推移と、一層高い圧力の少なくとも基礎又は大体の評価として用いることができる。【００２１】  一方では最大制動圧力又は最大に可能な制動力が望��れており、他方では圧力センサ５の圧力信号Ｓ１の最大値が出力すべき制動圧力を限定していることを、制御装置６が認識すると、安全性の間合わせを考慮して、圧力制御モジュールから最大制動モジュールへの切換えが行われ、即ちそうでない場合制動圧力変調器３により行われる制御を考慮することなしに、最大に可能な制動圧力が出力され、従って弁４が完全に開かれる。最大制動力の上述した状態がもはや存在しないことを制御装置６が確認する時、例えばバス７を介してこのように高い制動力要求がもはや出て来ないか、又は圧力センサ５がもはや過制御されていないか又はもはや最大値を表示しない時、制御装置６が弁４を再び一部又は全部閉じる。【００２２】  本発明によれば次の状態が生じる。
圧力制御モード。即ちバス７を介して制動要求信号Ｓ６による通常の制動要求がある場合、及び／又は圧力信号Ｓ１が出力すべき制動圧力を限定していることが認識されない場合、例えば１０ｂａｒの限界制動圧力以下で制動圧力変調器３により従来の圧力制御が行われる。【００２３】  最大制動モード即ち最大制動力要求がある場合の圧力制御。即ち信号Ｓ６により最大制動力要求が認識され、更に圧力信号Ｓ１の最大値が出力すべき制動圧力を限定していることが認識される場合、弁４が更に開かれる。【００２４】  １０ｂａｒの鎖錠範囲より上の圧力制御は、１つの弁４又は複数の弁４の種類に応じて行うことができる。この場合弁開度が可変に制御可能である比例弁及び周期的に開くクロック弁を使用することができる。現在の圧力は、本発明によれば種々のやり方で評価することができる。例えば１０ｂａｒの最大圧力値より上で圧力センサが変化する圧力信号例えば非直線的に上昇する圧力信号を供給する場合、この非直線的上昇を１つの圧力値（まず大体に）に対応させることができる。１つのクロック弁又は複数のクロック弁を使用する場合も、通気電磁石の整合クロック制御により圧力を制御することができる。【００２５】  圧力高さの精確な認識は、車輪モジュール１２，１４のＡＢＳからいずれにせよ求められるそれぞれの車輪の滑りから有利に行われる。ＡＢＳ制御中に地面の状態及び制動機の車輪状態が殆ど変化しないか又は徐々にのみ変化することを仮定すると、車輪の滑り又はロック挙動を制動圧力に対応させることができる。【００２６】  最大に可能な滑り値ができるだけ精確に得られるようにするため、圧力勾配が生じるように、弁の開放が行われる。それにより傾斜限定が行われる。従って最大制動モードは、例えば１２ｂａｒまでの圧力による制動を可能にする。最大制動力要求の状態がもはや存在しないことがわかると、１０ｂａｒの限界圧力まで又は以下の通常圧力制御モードに再び切換えられる。【００２７】  本発明による制動システムは、一方では適当なハードウェア制御装置によりハードウェア的に構成することができる。しかし圧力センサ及びそれに合わされる圧力制御回路を維持する場合、制動圧力変調器３の制御装置６により使用されるソフトウェアのみが有利に変更される。【００２８】  従って本発明によれば、車両の最大減速度従って車両の安全性も制動距離の短縮により高めることができる。
【図面の簡単な説明】
【００２９】
【図１】  本発明による制動システムのブロック線図を示す。
【符号の説明】
【００３０】    １          制動システム
２          圧縮空気溜め
３          制動圧力制御装置
４          弁
５          圧力センサ
６          制御装置
８          中央制御装置
１２，１４  車輪モジュール
【図１】
0005168618.tif 000002